(57)【要約】【課題】自動販売機の商品展示陳列部に用いられる宣伝用ラベルであって、新製品等の特定商品に対する消費者に対する訴求効果が高く、しかも低価格で供給できる宣伝用ラベルを提供すること。【解決手段】複数種類の商品を販売する自動販売機の商品展示陳列部１１の透明な前面板１２における特定商品Ｓａの前方に位置する部位又は前面板１２と特定商品Ｓａとの間に介在させた透明な支持板に貼着され、その背後の特定商品Ｓａに関する情報を表示する宣伝用ラベルＬであって、電界発光素子からなり、透明な領域を有して背後の特定商品を透視可能であると共に、貼着部位に対して脱着可能である。特定商品Ｓａが透けて見える状態で電界発光素子が光るので、背後に位置する特定商品Ｓａが強調され、また他の商品と差別化される。【選択図】図２
2007172090.tif 000002
【特許請求の範囲】
【請求項１】
複数種類の商品を販売する自動販売機の商品展示陳列部の透明な前面板における特定商品の前方に位置する部位又は前面板と特定商品との間に介在させた透明な支持板に貼着され、その背後の特定商品に関する情報を表示する宣伝用ラベルであって、電界発光素子からなり、透明な領域を有して背後の特定商品を透視可能であると共に、貼着部位に対して脱着可能であることを特徴とする宣伝用ラベル。
【請求項２】
貼着面に粘着加工を施したことを特徴とする請求項１に記載の宣伝用ラベル。
【請求項３】
電界発光素子の電源となる電池を付随させたことを特徴とする請求項１又は２に記載の宣伝用ラベル。
【発明の詳細な説明】
【技術分野】
【０００１】
本発明は、宣伝用に用いられるラベルの技術分野に属し、詳しくは、自動販売機における商品展示陳列部に並べた複数種類の商品のうちの特定商品を目立たせるために好適に使用される宣伝用ラベルに関するものである。
【背景技術】
【０００２】
従来より、飲料やタバコなどの自動販売機においては、上部にある商品展示陳列部に複数種類の商品見本を並べて展示している。そして、消費者はこの展示陳列された見本を見て、その中から購入する商品を決めるようになっている。この種の自動販売機において新製品を販売する場合、その宣伝効果を上げるため、商品展示陳列部の透明な前面板に枠状のラベルを貼って新製品の商品見本を赤枠で囲んだり、或いは、商品見本自体に特別な表示をすることが行われている。また、透明な前面板と商品の間に看板部材を配設し、その看板部材に商品の視認を許容した状態で広告表示をしたものも知られている。
【特許文献１】特開２００４−７８３８４号公報
【特許文献２】特開平９−１１５０４３号公報
【発明の開示】
【発明が解決しようとする課題】
【０００３】
上記した従来のような宣伝のやり方では、商品の識別効果はあるものの、新製品などの特定商品をそれ程目立たさせることができないので、消費者に訴える力に乏しいという問題がある。そこで、消費者に対する訴求効果を高めるため、テレビ画面を用いるようにしたものも見られるが、コストが高くなるという問題点がある。
【０００４】
本発明は、このような背景に鑑みてなされたものであり、その目的とするところは、自動販売機の商品展示陳列部に用いられる宣伝用ラベルであって、新製品等の特定商品に対する消費者に対する訴求効果が高く、しかも低価格で供給でき、貼替、脱着容易な宣伝用ラベルを提供することにある。
【課題を解決するための手段】
【０００５】
上記の目的を達成するため、本発明の宣伝用ラベルは、複数種類の商品を販売する自動販売機の商品展示陳列部の透明な前面板における特定商品の前方に位置する部位又は前面板と特定商品との間に介在させた透明な支持板に貼着され、その背後の特定商品に関する情報を表示する宣伝用ラベルであって、電界発光素子からなり、透明な領域を有して背後の特定商品を透視可能であると共に、貼着部位に対して脱着可能であることを特徴としている。
【０００６】
そして、上記構成の宣伝用ラベルにおいて、貼着面に粘着加工を施した形態を採ることが好ましく、さらには、電界発光素子の電源となる電池を付随させることが好ましい。
【発明の効果】
【０００７】
本発明の宣伝用ラベルは、特定商品の前方に位置する状態で透明な前面板又は透明な支持板に貼り付けて使用することにより、その特定商品が透けて見える状態で電界発光素子が光るので、背後に位置する特定商品が強調され、また他の商品と差別化されることから、消費者に対する特定商品の訴求効果を大きくすることができ、夜間はもちろん、昼間の周囲が明るい環境下においても、宣伝すべき情報が発光して目立つため、特定商品の宣伝効果を上げることができる。そして、電界発光素子を点滅させることにより、さらに訴求効果の高いものとすることができる。しかも、この宣伝用ラベルは、電界発光素子をラベル化するだけで製造できるので低価格で供給することができ、また交換も容易であることから低いコストで常時使用することができる。また、商品の入替や宣伝方針（どの商品に如何なる宣伝を付与するか）の変更に即応して貼替可能である。
【発明を実施するための最良の形態】
【０００８】
本発明の宣伝用ラベルは、広告宣伝のためのパターンの少なくとも一部を自発発光性とするものであり、この自発発光性のパターンを形成するため、電界発光（ Electoeo Luminescense )素子が使用される。このＥＬとしては、従来公知のものの中から適宜なものを選択して用いる。ＥＬの材料としては、無機系の蛍光体（発光体）を用いた無機ＥＬ、有機系の蛍光体（発光体）を用いた有機ＥＬの何れでもよいし、ＥＬの駆動方式は交流電圧又は直流電圧の何れの方式でもよい。また、発光ダイオードも広義のＥＬに包含され、本発明においても使用可能である。また、自発発光性のパターンは、静止画、動画の何れでもよく、また画像を点滅させたり、複数画像を順次切換表示してもよい。
【０００９】
図１は本発明に係る宣伝用ラベルの一例をその断面構造で示す説明図であり、この宣伝用ラベルＬは、図示のように、２枚の透明なフィルム基材１の間に電極層２を介してパターン状の発光体（蛍光体）層３とその間に位置する絶縁体層４とが挟み込まれた構造をしている。
【００１０】
本発明の宣伝用ラベルは、少なくともその一部領域を透過してその背後の特定商品を観察可能であるように構成することにより、複数並んだ陳列商品の中から特定の商品（１種類、或いは２種類以上）を選択的に強調する。そのため、フィルム基材１として透明なものを用いるとともに、ＥＬを構成する電極層２、発光体層３、絶縁体層４等の各部材の少なくとも一部領域を透視可能とする。
【００１１】
具体的な例として、これらＥＬ構成層が不透明な場合は、該ＥＬ構成層を部分的に形成する。例えば、発光表示用の領域の面積率及び形状を加減して、背後の陳列商品の観察の支障にならないようにする。通常は、発光効率向上のため、電極層２は、顧客側のみをＩＴＯ等を用いて透明とし、陳列商品側は十分な膜厚のアルミニウム等を用いて光反射性とすることが多いため、このような形態となることが多い。
【００１２】
なお、ＥＬ構成層が全て十分な透明性を有するものを用いる場合は、ＥＬ構成層をより大面積率、極端な場合は宣伝用ラベルの全面にわたって形成することも可能である。ただし、その場合は、ＥＬの発光により背後の陳列商品が透視不能とならないよう発光輝度、発光パターンを加減する必要がある。
【００１３】
フィルム基材１としては、透明性を有するとともに、十分な機械的強度、電気絶縁性、耐候性、耐熱性、防湿性等の必要な物性を備えた材料からなるフィルム（乃至はシート）を選択して使用する。例えば、代表的には、ポリエチレンテレフタレート、ポリエチレンナフタレート等のポリエステル樹脂、ポリ弗化ビニリデン、エチレン−４弗化エチレン共重合体等の弗素系樹脂等の樹脂からなるフィルム（乃至はシート）で、厚さ２５〜２５０μｍ程度のものを用いることができる。特に、ＥＬの発光体層が湿気（水分）により劣化しやすい材料である場合は、ポリ弗化ビニリデンフィルム、シリカ層蒸着ポリエチレンテレフタレートフィルム、ポリ弗化ビニリデンをコートしたポリエステル樹脂フィルム等の防湿性の（水蒸気透過率の低い）樹脂フィルムを用いることが好ましい。また、特に、宣伝用ラベルを湾曲した面に貼着する場合は、十分な可撓性を必要とするため、上記の各種フィルムの場合、１２５μｍ程度以下の薄いものを選択する。
【００１４】
図１に示すような構造の宣伝用ラベルＬは、電極層２の間に電圧をかけることにより発光体層３が発光する。すなわち、陽極側からはホール（価電子帯における電子の空席）が、陰極側からは電子がそれぞれ発光体層３に注入され、このホールと電子が発光体層３でぶつかって再結合する。そして、この再結合反応により、発光中心となる原子或いは分子は安定した基底状態からエネルギーの高い不安定な励起状態になり、この励起状態からもとの基底状態に戻る時にエネルギーを放出して光を発する。したがって、発光体層３を宣伝用の所望パターンで配置しておくことにより、その宣伝用のパターンを光らせることができる。また、電源のオンオフにより、発光体層３を適宜点滅させることができる。
【００１５】
発光体層３のパターンとしては文字、数字、図形等が挙げられる。このうち文字パターンとしては、ロゴ、商品名、販促標語等があり、数字パターンとしては価格がある。また、図形パターンとしては、模様、枠、マーク（ハート、矢印、星印等）、或いは風影、人物像等の画像などがある。また、該パターンは、予め印刷法、フォトエッチング法等の方法により発光体層３をパターン状に形成する形態が簡便であるが、宣伝用ラベルで動画を表示したり、或いは１枚の宣伝用ラベルに複数のパターンを切り換えて表示する場合は、発光体層３は通常のテレビジョン受像機と同様に縦横に２次元配列した網点状画素とし、その画素を画像信号により駆動点滅させることもできる。
【００１６】
図２は本発明の宣伝用ラベルを適用した飲料缶の自動販売機Ａを示す正面図であり、図中１１は商品展示陳列部、１２はアクリル板等からなる透明な前面板、１３は金銭投入口、１４は商品取出し口である。そして、この自動販売機Ａは、図３に示すように、商品展示陳列部１１の透明な前面板１２の裏側に宣伝用ラベルＬを貼着した状態になっている。この例では、横一列に並んだ７種類の商品Ｓ（飲料缶）のうちの特定商品（右から二番目の飲料缶）に対応する部位に貼着されている。この宣伝用ラベルＬには、図示のように、発光体層３により文字（ＮＥＷ）と縁取りがパターニングされており、この部分が光ったり点滅したりすることによって、その後方にある商品が新製品であることを消費者に強力に訴えることができる。
【００１７】
この宣伝用ラベルＬは、通常は前面板１２の裏側に貼り付けるが、表側に貼り付けるようにしても構わない。ただ、前面板１２の表側は、風雨や日光による劣化、剥離を生じやすいこと、及び盗難の可能性があることから余り好ましくはない。
【００１８】
また、本発明の宣伝用ラベルは、図４に示すように、商品展示陳列部１１の透明な前面板１２と特定商品Ｓａとの間に介在させた透明な支持板１５に貼着するようにしてもよい。図では支持板１５の表側に貼着しているが、裏側に貼着してもよい。ただ、支持板１５の裏側に貼着すると、顧客との間に透明板が２枚介在し、これらの表面での光反射、層内での光吸収により表示が暗くなる場合があるので余り好ましくはない。
【００１９】
このように、本発明の宣伝用ラベルは、複数種類の商品を販売する自動販売機Ａの商品展示陳列部１１の透明な前面板１２における特定商品Ｓａの前方に位置する部位又は前面板１２と特定商品Ｓａとの間に介在させた透明な支持板１５に貼着され、その背後の特定商品Ｓａに関する情報を表示する。
【００２０】
本発明の宣伝用ラベルは、貼着部位に対して脱着可能である。このため、陳列商品の種類が変更になった場合、同一の商品のままでも宣伝すべき商品の種類が変更になった場合、或いは陳列商品も選択すべき商品も変わらないが宣伝内容を変更したい場合に対応することができる。例えば、現在の宣伝用ラベルを剥離してそれを別の商品の前方に貼着するか、現在の宣伝用ラベルを貼着している商品の前方に別の宣伝用ラベルを貼着するか、或いは、別の商品の前方に別の宣伝用ラベルを貼着するといったようなことができる。また、使用中の宣伝用ラベルが日光、熱等の屋外環境により劣化した場合にも簡単に交換することができる。
【００２１】
貼着部位に対して脱着可能とする手段としては、フィルム基材として自己粘着性の有るもの（軟質塩化ビニル系樹脂等）を用いることも可能であるが、実用上は、図５に示すように、貼付け側となるフィルム基材１に粘着加工を施して粘着剤層５を設けておくことが好ましい。粘着剤としては、アクリル系樹脂、ゴム系樹脂、シリコン（珪素）系樹脂等のものがあるが、自動販売機のように屋外において日光及び高温に長期間曝露しても粘着力の低下を招かず、着色、亀裂等の劣化を生じ難いという点においてシリコン系樹脂の粘着剤が好ましい。
【００２２】
本発明の宣伝用ラベルは、ＥＬの蛍光体層が日光中の紫外線による劣化を防止するため、蛍光体層よりも外方（日光の入射側）にある構成層の１層以上に紫外線吸収剤を添加することが好ましい。特に、有機蛍光体を用いる有機ＥＬ、有機バインダーに蛍光体を分散させた形式の無機ＥＬ等、有機化合物を含むＥＬの場合に有効である。
【００２３】
紫外線吸収剤の添加層としては、例えば図５で言うと、外方（左側）に位置するフィルム基材１、外方に位置する粘着剤層５、或いは図示は略すがフィルム基材１の表面や裏面に塗工した透明塗膜等の層の何れか１層以上が挙げられる。紫外線吸収剤は、可視光線の透過性があればよく、ベンゾトリアゾール系紫外線吸収剤、微粒子酸化亜鉛系紫外線吸収剤等公知のものが使用できる。
【００２４】
本発明の宣伝用ラベルは、電界発光素子の電源となる電池を付随させた形態としてもよい。電池としては、リチウム電池、マンガン電池等公知の各種の乾電池、蓄電池が使用可能であるが、宣伝用ラベルに装着できるとともに、装着状態で宣伝用ラベルの粘着に支障がなく、広告宣伝に目障りや邪魔にならないよう、十分に小型でかつ軽量、薄型のものを選択乃至は設計する。また、電池として公知の各種太陽電池も用いることができる。ただし、夜間、曇天時にも発光を得るためには、余剰電力を蓄電池に貯蔵したり、或いはリチウム電池等の通常の電池と併用する等の工夫が必要である。また、ＥＬ駆動用の電源としては、電池のほか、商用交流電源を適宜必要に応じて、昇圧、降圧、整流、周波数変換等を行った上で利用してもよい。
【００２５】
電池とＥＬを駆動する（電圧、電流を印加する）電極層２との間の電気的接続は、公知の各種接続法の適用が可能であるが、図６に示すように、導電性粘着テープ６を利用することもできる。これは導電性粘着テープ６を介してフィルム基材１の間に電池７を挟持した状態で内蔵させるとともに導電性粘着テープ６及び電池７が見えないように遮光層８を設けたものであるが、このような形態にすることで、電池７の脱着が比較的簡単であり、かつ厚みも体積も嵩張らないので好ましい。導電性粘着テープ６としては、各種公知のものが用いられる。特に、導電性粘着テープが、周囲の電極や回路に不必要な接触をしたり、短絡、漏電することを防ぐためには、厚み方向のみに導電性を有する異方性の導電性粘着テープを採用することが好ましい。
【００２６】
自動販売機の商品展示陳列部に並べる陳列商品はその商品の実物であってもよいが、陳列商品は当該商品の外観を識別できれば十分であるので、通常の自動販売機では販売される実物の商品は商品展示陳列部に並べたものとは別物になる場合が多い。すなわち、陳列商品は実物ではなく、実物と同様の外観を有する模造品（見本）を使用するのである。例えば、飲料の自動販売機においては所謂「ダミー缶」と呼称される模造品が陳列される場合が多い。
【００２７】
本発明の宣伝用ラベルは、商品展示陳列部を有する公知の各種自動販売機に適用することができる。すなわち、缶、瓶、或いは紙容器入りの飲料、袋、箱等で包装された菓子等の食品、紙箱に入った煙草、電池等を販売する各種の自動販売機に適用できる。
【００２８】
以上、本発明の実施の形態について詳細に説明してきたが、本発明による宣伝用ラベルは、上記実施の形態に何ら限定されるものではなく、本発明の趣旨を逸脱しない範囲において種々の変更が可能であることは当然のことである。
【図面の簡単な説明】
【００２９】
【図１】本発明に係る宣伝用ラベルの一例をその断面構造を示す説明図である。
【図２】宣伝用ラベルを貼着した自動販売機の正面図である。
【図３】図２の自動販売機における商品展示陳列部を示す断面図である。
【図４】図３に示す商品展示陳列部の変形例を示す断面図である。
【図５】粘着加工を施した宣伝用ラベルを示す断面図である。
【図６】電池を内蔵した宣伝用ラベルの断面を示す斜視図である。
【符号の説明】
【００３０】
Ａ  自動販売機
Ｌ  宣伝用ラベル
Ｓ  商品
Ｓａ  特定商品
１  フィルム基材
２  電極層
３  発光体（蛍光体）層
４  絶縁体層
５  粘着剤層
６  導電性粘着テープ
７  電池
１１  商品展示陳列部
１２  前面板
１３  金銭投入口
１４  商品取出し口
１５  支持板
【図１】
2007172090.tif 000003
【図２】
2007172090.tif 000004
【図３】
2007172090.tif 000005
【図４】
2007172090.tif 000006
【図５】
2007172090.tif 000007
【図６】
2007172090.tif 000008